(57)【要約】【課題】ノズルプレートへのインク組成物の付着汚れが生じにくく、クリーニング頻度が少なく、隠蔽性に優れた画像を印刷でき、印刷速度及び乾燥速度に優れる、インクジェット記録方法を提供することを目的とする。【解決手段】第一のノズル列と、該第一のノズル列に沿って配列された第二のノズル列とを有し、前記第一のノズル列と前記第二のノズル列の間の距離は１５ｍｍ以上であり、前記第一のノズル列のノズル密度及び前記第二のノズル列のノズル密度はそれぞれ６００ｄｐｉ以上である、インクジェットヘッドを用い、  該インクジェットヘッドを、被記録媒体に対して、前記第一のノズル列及び前記第二のノズル列の列方向と交差する方向に相対的な位置を変化させながら、前記第一のノズル列及び前記第二のノズル列におけるノズルから、周波数１２ｋＨｚ以上でインク組成物を吐出する走査を行うことで、  該インク組成物を前記被記録媒体へ付着させる、  インクジェット記録方法。【選択図】なし【特許請求の範囲】
【請求項１】
第一のノズル列と、該第一のノズル列に沿って配列された第二のノズル列とを有し、前記第一のノズル列と前記第二のノズル列の間の距離は１５ｍｍ以上であり、前記第一のノズル列のノズル密度及び前記第二のノズル列のノズル密度はそれぞれ６００ｄｐｉ以上である、インクジェットヘッドを用い、
該インクジェットヘッドを、被記録媒体に対して、前記第一のノズル列及び前記第二のノズル列の列方向と交差する方向に相対的な位置を変化させながら、前記第一のノズル列及び前記第二のノズル列におけるノズルから、周波数１２ｋＨｚ以上でインク組成物を吐出する走査を行うことで、
該インク組成物を前記被記録媒体へ付着させる、
インクジェット記録方法。
【請求項２】
前記被記録媒体に対する前記インクの付着量が、１５０ｍｇ／ｉｎｃｈ２以上である、請求項１に記載のインクジェット記録方法。
【請求項３】
前記インク組成物が、１２質量％以上の固形分を含む、請求項１又は２に記載のインクジェット記録方法。
【請求項４】
前記インク組成物が、色材、樹脂エマルジョン、及び水溶性溶剤を含む、請求項１〜３のいずれか１項に記載のインクジェット記録方法。
【請求項５】
前記インク組成物が、酸化チタンを含む白インク組成物である、請求項１〜４のいずれか１項に記載のインクジェット記録方法。
【請求項６】
前記走査を複数回行うことで記録を行う、請求項１〜５のいずれか１項に記載のインクジェット記録方法。
【請求項７】
前記被記録媒体が、布帛である、請求項１〜６のいずれか１項に記載のインクジェット記録方法。
【請求項８】
前記被記録媒体が、被記録媒体の前記インクジェットヘッドに対向する側の反対側から、樹脂製の表面を有する被記録媒体支持部に支持されている、請求項１〜７のいずれか１項に記載のインクジェット記録方法。
【請求項９】
１ノズルから吐出する前記インク組成物の１回の吐出のインク量が、１０ｎｇ以下である、請求項１〜８のいずれか１項に記載のインクジェット記録方法。
【請求項１０】
前記インクジェットヘッドは、前記第一のノズル列の前記第二のノズル列とは反対側、及び、前記第二のノズル列の前記第一のノズル列とは反対側の少なくとも一方に、前記インク組成物とは異なる他のインク組成物を吐出する他のノズル列を有する、請求項１〜９のいずれか１項に記載のインクジェット記録方法。
【請求項１１】
請求項１〜１０のいずれか１項に記載のインクジェット記録方法で記録を行う、インクジェット記録装置。
【発明の詳細な説明】
【技術分野】
【０００１】
本発明は、インクジェット記録方法に関する。
【背景技術】
【０００２】
従来、紙などの被記録媒体に、画像データ信号に基づき画像を形成する記録方法として、種々の方式が利用されている。このうち、インクジェット方式は、安価な装置で、必要とされる画像部のみにインク組成物を吐出し被記録媒体上に直接画像形成を行うため、インク組成物を効率良く使用でき、ランニングコストが安い。さらに、インクジェット方式は騒音が小さいため、記録方法として優れている。
【０００３】
近年、インクジェット記録方式を布帛の染色（捺染）に適用することが検討されている。例えば、洗濯に対する耐久性及び色堅牢度をインクジェット印刷された織物に提供するために、水性ビヒクル、着色剤及び架橋済みポリウレタン分散体を含むインクジェットインキ組成物であって、着色剤が水性ビヒクルに可溶性又は分散性であり、架橋済みポリウレタン対着色剤の重量比が少なくとも約１．０であるインクジェットインク組成物が開示されている（例えば、特許文献１参照）。また、褪色や滲みの問題を解消し、長期間に渡って輝度の高い発光を有し、ブラックライト等の特殊な励起光を照射すると可視光下で視認されるものとは別の色や画像を表現するインクジェット捺染用蛍光インクを提供するために、無機蛍光体粒子を含有するインクジェット捺染用蛍光インクが開示されている（例えば、特許文献２参照）。
【先行技術文献】
【特許文献】
【０００４】
【特許文献１】特表２００７−５２２２８５号公報
【特許文献２】特開２００３−９６３４０号公報
【発明の概要】
【発明が解決しようとする課題】
【０００５】
布帛に対して印刷する場合に、隠蔽性の良いカラー画像を形成するために、カラーのベタ画像を記録することがある。また、色の濃い布帛に対して印刷する場合に、布帛を隠蔽してカラー画像の見栄えをよくするために予め布帛に白画像をベタ画像として記録したり、あるいは、布帛へ隠蔽性の良い白い画像を記録するために白いベタ画像を記録することがある。しかしながら、上記従来の方法では、ノズルプレートへのインク組成物の付着汚れが生じ、クリーニング頻度が増大するという問題がある。また、画像の隠蔽性も悪く、印刷速度、乾燥速度にも劣るという問題もある。
【０００６】
本発明は、上述の課題の少なくとも一部を解決するためになされたものであり、ノズルプレートへのインク組成物の付着汚れが生じにくく、クリーニング頻度が少なく、隠蔽性に優れた画像を印刷でき、印刷速度に優れる、インクジェット記録方法を提供することを目的とする。
【課題を解決するための手段】
【０００７】
本発明者らは、上記課題を解決するために鋭意検討した。インク組成物が被記録媒体に着弾するとインクミスト（以下、単に「ミスト」ともいう。）が生じる。通常、インクミストはインクジェット記録装置内全体に拡散でき、ファンで拡散したミストを回収するためノズルへの付着は少ない。しかしながら、全ノズルから所定の吐出周波数でインク組成物を吐出すると、特に、ミストによるノズル周囲の汚れが多い現象が見られた。ノズル列の全ノズルから吐出するインク滴に伴う空気の流れによりノズル列の並びに沿ってエアカーテンと呼ばれる空気の流れによる空気層が形成されることがある。この場合に、ヘッドと被記録媒体の間のインクミストはエアカーテンを超えて移動できず、ミストがノズル周囲に滞留したと推測する。
【０００８】
このような現象は、隠蔽性を良くするためにインク付着量の大きい画像を記録する場合に多くみられる。上記のようにベタ画像を記録する場合、印刷速度が遅くなったりしないように全ノズルから所定の吐出周波数でインク組成物を吐出する。そうすると、ノズル列の全ノズルから吐出するインク滴に伴う空気の流れによりノズル列の並びに沿ってエアカーテンと呼ばれる空気の流れによる空気層が形成され、インクミストが滞留したと推測する。
【０００９】
上記のようにインクミストが滞留するとノズル列の間のノズルプレートへのインク組成物の付着量が増大する。特に、ノズルの周囲へのミストの付着も増大するため、吐出不良（不吐出や飛行曲がり）を起こすノズルが増え、ノズルをワイパで拭きインク組成物の汚れを除去するクリーニングの頻度を増やす必要があった。
【００１０】
また、インクミストの発生はインク滴の大きさにもよることが分かった。インクミストはインク滴自身が被記録媒体へ着弾できなかったもの、あるいはサテライトと呼ばれるインク滴本体から分離したより小さなインク滴からなる。そのためインク滴が大きい場合、空気抵抗が少なく、インク滴が被記録媒体へ全て着弾することができミストが発生しにくい。しかし、インク滴が大きいと、被記録媒体へ着弾したインク量が増えたり、その厚さが厚くなったりしてインク乾燥速度が遅くなる。そこで、インク滴を小さくすることで、着弾したインク量を少なくしたり、その厚さを薄くしたりしてインクの乾燥時間を早くでき、白画像の上にカラー画像を記録するまでの時間を短縮しようと試みる。ところが、この場合にインクミストが生じやすい。そこで、本発明者らはノズル列同士の間隔を広くし、所定の印刷条件としたところ、上記課題を解決できることを見出して、本発明を完成させた。
【００１１】
すなわち、本発明は以下のとおりである。
〔１〕
第一のノズル列と、該第一のノズル列に沿って配列された第二のノズル列とを有し、前記第一のノズル列と前記第二のノズル列の間の距離は１５ｍｍ以上であり、前記第一のノズル列のノズル密度及び前記第二のノズル列のノズル密度はそれぞれ６００ｄｐｉ以上である、インクジェットヘッドを用い、
該インクジェットヘッドを、被記録媒体に対して、前記第一のノズル列及び前記第二のノズル列の列方向と交差する方向に相対的な位置を変化させながら、前記第一のノズル列及び前記第二のノズル列におけるノズルから、周波数１２ｋＨｚ以上でインク組成物を吐出する走査を行うことで、
該インク組成物を前記被記録媒体へ付着させる、
インクジェット記録方法。
〔２〕
前記被記録媒体に対する前記インクの付着量が、１５０ｍｇ／ｉｎｃｈ２以上である、前項〔１〕に記載のインクジェット記録方法。
〔３〕
前記インク組成物が、１２質量％以上の固形分を含む、前項〔１〕又は〔２〕に記載のインクジェット記録方法。
〔４〕
前記インク組成物が、色材、樹脂エマルジョン、及び水溶性溶剤を含む、前項〔１〕〜〔３〕のいずれか１項に記載のインクジェット記録方法。
〔５〕
前記インク組成物が、酸化チタンを含む白インク組成物である、前項〔１〕〜〔４〕のいずれか１項に記載のインクジェット記録方法。
〔６〕
前記走査を複数回行うことで記録を行う、前項〔１〕〜〔５〕のいずれか１項に記載のインクジェット記録方法。
〔７〕
前記被記録媒体が、布帛である、前項〔１〕〜〔６〕のいずれか１項に記載のインクジェット記録方法。
〔８〕
前記被記録媒体が、被記録媒体の前記インクジェットヘッドに対向する側の反対側から、樹脂製の表面を有する被記録媒体支持部に支持されている、前項〔１〕〜〔７〕のいずれか１項に記載のインクジェット記録方法。
〔９〕
１ノズルから吐出する前記インク組成物の１回の吐出のインク量が、１０ｎｇ以下である、前項〔１〕〜〔８〕のいずれか１項に記載のインクジェット記録方法。
〔１０〕
前記インクジェットヘッドは、前記第一のノズル列の前記第二のノズル列とは反対側、及び、前記第二のノズル列の前記第一のノズル列とは反対側の少なくとも一方に、前記インク組成物とは異なる他のインク組成物を吐出する他のノズル列を有する、前項〔１〕〜〔９〕のいずれか１項に記載のインクジェット記録方法。
〔１１〕
前項〔１〕〜〔１０〕のいずれか１項に記載のインクジェット記録方法で記録を行う、インクジェット記録装置。
【図面の簡単な説明】
【００１２】
【図１】第一のノズル列及び第二のノズル列の配列を示す模式図である。
【図２】駆動信号の一例を示す図である。
【図３】インクジェット記録装置（全体）の全体構成のブロック図の一例である。
【発明を実施するための形態】
【００１３】
以下、必要に応じて図面を参照しつつ、本発明を実施するための形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００１４】
［インクジェット記録方法］
本実施形態のインクジェット記録方法は、
第一のノズル列と、該第一のノズル列に沿って配列された第二のノズル列とを有し、第一のノズル列と第二のノズル列の間の距離Ｌ１は１５ｍｍ以上であり、第一のノズル列のノズル密度Ｌ２及び第二のノズル列のノズル密度Ｌ２はそれぞれ６００ｄｐｉ以上である、インクジェットヘッドを用い、
該インクジェットヘッドを、被記録媒体に対して、第一のノズル列及び第二のノズル列の列方向と交差する方向に相対的な位置を変化させながら、第一のノズル列及び第二のノズル列から、周波数１２ｋＨｚ以上でインク組成物を吐出する走査を行なうことで、
該インク組成物を被記録媒体へ付着させる。
【００１５】
〔１．インクジェットヘッド〕
本実施形態のインクジェット記録方法は、第一のノズル列と、該第一のノズル列に沿って配列された第二のノズル列とを有し、第一のノズル列と第二のノズル列の間の距離Ｌ１は１５ｍｍ以上であり、第一のノズル列及び第二のノズル列のノズル密度は６００ｄｐｉ以上である、インクジェットヘッドを用いる。図１は、第一ノズル列及び第二ノズル列の配列を説明するための模式図であり、各黒点がノズルのノズル開口の位置を示す。図１は、ヘッドのノズルプレートを被記録媒体側から見た図であり、左右方向が走査方向になる。
【００１６】
（１−１．第一のノズル列と第二のノズル列の間の距離Ｌ１）
第一のノズル列と第二のノズル列の間の距離Ｌ１は１５ｍｍ以上であり、１８ｍｍ以上がより好ましく、１９ｍｍ以上がさらに好ましい。上記範囲となるようにノズル列同士の間隔をあけることにより、又はそれらのノズル列の間にあるノズル列を使用しないことで距離Ｌ１を１５ｍｍ以上とすることにより、ヘッドが有するノズルプレートへのインク組成物の付着汚れが生じにくく、クリーニング頻度が少なくなる。また、吐出安定性が良好になる傾向もある。また、第一のノズル列と第二のノズル列の間の距離Ｌ１は、１００ｍｍ以下が好ましく、５０ｍｍ以下がより好ましく、３０ｍｍ以下がさらに好ましく、２５ｍｍ以下が特に好ましい。距離Ｌ１が上記範囲であることにより、ヘッドをより小型化することができる。
【００１７】
（１−２．ノズル密度Ｌ２）
第一のノズル列及び第二のノズル列のノズル密度Ｌ２は、６００ｄｐｉ以上であり、７２０ｄｐｉ以上が好ましく、１０００ｄｐｉ以上がさらに好ましい。ノズル密度Ｌ２が上記範囲であることにより、隠蔽性が向上する。また、第一のノズル列及び第二のノズル列のノズル密度は、２０００ｄｐｉ以下が好ましく、１５００ｄｐｉ以下がより好ましい。ノズル密度Ｌ２が上記範囲であることにより、ヘッドの製造コストがより低くなる傾向にある。
【００１８】
図１において、各色のノズル列は、左からＹ（イエロー）、Ｍ（マゼンタ）、Ｗ（ホワイト）、Ｗ（ホワイト）、Ｃ（シアン）、Ｋ（ブラック）の順でノズル列が並んでいる。第一のノズル列（Ｗ）と第二のノズル列（Ｗ）は、ノズルが並んで列を形成していれば特に制限されず、ノズルが１直線状に並ぶ列でも、ノズルが列幅を有するように並ぶ列でもよい。図１に示すＷのように、千鳥配置でノズルが並んだ列（図１破線の囲み部分）であってもよい。ノズルが列幅を有するように並ぶことによりノズルに連通する圧力室などを設けるスペースをより広く確保することができる。なおノズルが列幅を有するように並んだ列の場合の列幅、つまり図１で言えばレーンαとレーンβとの距離（列幅Ｌ３）は、５ｍｍ以下が好ましく３ｍｍ以下がより好ましい。列幅の下限は１ｍｍ以上が好ましく２ｍｍ以上がより好ましい。ノズル列が列幅を有する場合、第一のノズル列と第二のノズル列の間の距離Ｌ１は、第一のノズル列のノズルのうち図１の左右方向において第二のノズル列に最も近いノズルと、第二のノズル列のノズルのうち図１の左右方向において第一のノズル列に最も近いノズルとの距離である。
【００１９】
また、図１に示すように、ヘッドは、第一のノズル列の第二のノズル列とは反対側、及び、第二のノズル列の第一のノズル列とは反対側の少なくとも一方（以下、単に「第一及び第二ノズル列の外側」という。）に、インク組成物と異なる他のインク組成物を吐出する他のノズル列を有することが好ましい。図１においては第一及び第二ノズル列（Ｗ）の外側に他のノズル列としてＹ、Ｍ、Ｃ、Ｋのカラーインク組成物のノズル列が示されている。ＭとＷ、ＣとＷのノズル列の間隔は、距離Ｌ１の１／２以下であることが好ましく、１／３以下であることがより好ましい。第一のノズル列と他のノズル列の間隔、又は第二のノズル列と他のノズル列の間隔が上記範囲であることにより、ヘッドをより小型化することができる傾向にある。
【００２０】
第一ノズル列と第二ノズル列の間に他のインク組成物を吐出するノズル列がないことで、ノズルプレートにおいて、第一のノズル列と第二のノズル列のノズル開口間にある部位が所定の色のインク組成物で汚れても他の色のノズルへの影響が少ない傾向にある。他のインク組成物は、第一及び第二ノズル列から吐出するインクとは組成が異なるインクであって例えば色材の種類が異なるインクである。
【００２１】
〔２．走査方法〕
本実施形態のインクジェット記録方法では、上記ヘッドを、被記録媒体に対して、第一のノズル列及び第二のノズル列の列方向と交差する方向（以下、「主走査方向」ともいう。）、好ましくは直行する方向に、相対的な位置を変化させながら第一のノズル列及び第二のノズル列におけるノズルから、周波数１２ｋＨｚ以上でインク組成物を吐出する走査をおこなう。ヘッドは、被記録媒体に対して複数回（２回以上）の走査をすることで記録を行うシリアルプリンタとすることが好ましい。この場合、画像のドット形成密度を高くすることや画像全体のインク量を多くすることができ、白インク組成物を用いる場合においては、隠蔽性がより確保される傾向にあり、カラーインク組成物を用いる場合においては、より高精彩な画像が得られる傾向にある。一方、被記録媒体に対するヘッドの走査を１回行うことで記録を行うラインプリンタのような構成としてもよい。
【００２２】
〔３．吐出方法〕
本実施形態のインクジェット記録方法では、第一のノズル列及び第二のノズル列から、周波数１２ｋＨｚ以上でインク組成物を吐出する。吐出周波数は、１２ｋＨｚ以上であり、２０ｋＨｚ以上が好ましく、３０ｋＨｚ以上がより好ましく、４０ｋＨｚ以上がさらに好ましい。吐出周波数が上記範囲であることにより、印刷速度がより優れる傾向にある。なお、吐出周波数の上限は、特に限定されないが、１５０ｋＨｚ以下が好ましく、１００ｋＨｚ以下がより好ましく、５０ｋＨｚ以下がさらに好ましい。吐出周波数が上記範囲であることにより、乾燥速度がより優れる傾向にある。上記吐出周波数は、後述する吐出機構により制御することができる。
【００２３】
１ノズルから吐出する１回の吐出のインク組成物の一滴のインク量は、１７ｎｇ以下であることが好ましく、１０ｎｇ以下であることがより好ましく、９ｎｇ以下であることがさらに好ましい。インク量が上記範囲であることにより、乾燥速度がより優れる傾向にある。また、１ノズルから吐出するインク組成物の一滴のインク量は、１ｎｇ以上であることが好ましく、３ｎｇ以上であることがより好ましく、５ｎｇ以上であることがさらに好ましい。インク量が上記範囲であることにより、乾燥速度が優れ、印刷速度が優れながら高いドット形成密度でドット形成ができる。１ノズルから吐出するインク組成物の一滴のインク量は、後述する吐出機構により制御することができる。
【００２４】
（吐出機構）
インクジェット記録装置は、ヘッドを主走査方向に沿って移動させ、この移動に連動してヘッドのノズル開口からインク滴を吐出させることにより、被記録媒体上に画像を記録する。このインク滴の吐出は、例えば、ノズル開口に連通した圧力発生室を膨張及び収縮させることで行われる。
【００２５】
圧力発生室の膨張及び収縮は、例えば、圧電振動子の変形を利用して行われる。このようなヘッドでは、供給される駆動パルスに応じて圧電振動子が変形し、これにより圧力室の容積が変化し、この容積変化によって圧力室内のインク組成物に圧力変動が生じて、ノズル開口からインク滴が吐出される。
【００２６】
このようなインクジェット記録装置では、複数の駆動パルスを一連に接続してなる駆動信号が生成される。一方、階調情報を含む印字データがヘッドに送信される。そして、当該送信された印字データに基づいて、必要な駆動パルスのみが上記駆動信号から選択されて圧電振動子に供給される。これにより、ノズル開口から吐出させるインク滴の量を、階調情報に応じて変化させている。
【００２７】
より具体的には、例えば、非記録の印字データ、小ドットの印字データ、中ドットの印字データ、及び、大ドットの印字データからなる４階調を設定したインクジェット記録装置においては、それぞれの階調に応じて、インク量の異なるインク滴が吐出される。
【００２８】
上記のような４階調の記録を実現するためには、例えば図２に示すような駆動信号が用いられ得る。図２に示すように、この駆動信号は、期間ＰＡＴ１に配置された第１パルス信号ＰＡＰＳ１と、期間ＰＡＴ２に配置された第２パルス信号ＰＡＰＳ２と、期間ＰＡＴ３に配置された第３パルス信号ＰＡＰＳ３と、期間ＰＡＴ４に配置された第４パルス信号ＰＡＰＳ４と、期間ＰＡＴ５に配置された第５パルス信号ＰＡＰＳ５と、期間ＰＡＴ６に配置された第６パルス信号ＰＡＰＳ６とを一連に接続してあり、記録周期ＰＡＴＡで繰り返し発生するパルス列波形信号である。
【００２９】
この場合、第１パルス信号ＰＡＰＳ１が第１の駆動パルスＰＡＤＰ１であり、第２パルス信号ＰＡＰＳ２が第２の駆動パルスＰＡＤＰ２であり、第３パルス信号ＰＡＰＳ３が第３の駆動パルスＰＡＤＰ３であり、第４パルス信号ＰＡＰＳ４が第１の駆動パルスＰＡＤＰ４であり、第５パルス信号ＰＡＰＳ５が第５の駆動パルスＰＡＤＰ５であり、第６パルス信号ＰＡＰＳ６が第６の駆動パルスＰＡＤＰ６である。
【００３０】
これらの駆動パルスＰＡＤＰ１〜ＰＡＤＰ６は、何れも同じ波形形状であり、それぞれ単独でインク滴を吐出可能な信号である。すなわち、これらの各駆動パルスが圧電振動子に供給されることにより、小ドットを形成し得る量のインク滴がノズル開口から吐出される。
【００３１】
この場合、圧電振動子に供給する駆動パルスの数を増減することによって、階調制御を行うことができる。例えば、駆動パルスを１つ供給することで小ドットの記録を行い、駆動パルスを２つ供給することで中ドットの記録を行い、駆動パルスを３つ供給することで大ドットの記録を行うことができる。
【００３２】
ここで、図２に示す中間電位ＶＭは、バイアス電圧と呼ばれるものである。圧電振動子には常時、このバイアス電圧が供給されている。つまり、圧電振動子の電位は、最低電位ＶＬと最高電位ＶＨとの間の中間状態に保たれている。このような中間状態を駆動開始時の状態としておくことにより、容積変化を膨張側にも収縮側にも生じさせることが可能である。
【００３３】
例えば、１記録周期の駆動周波数を７．２ｋＨｚとすると、１つの駆動パルスの周波数は４３．２ＫＨｚとなる。よって、１記録周期において６個の駆動パルスを圧電素子に印加することで６個のインク滴を吐出させることができ、この場合の吐出周波数は４３．２ｋＨＺとなる。また、１記録周期の駆動周波数を７．２ＫＨｚとする場合に、吐出周波数を２１．６ｋＨｚとしたいときは、６つの駆動パルスＰＡＰＳのうちから１個おきに３個の駆動パルスのみを圧電素子に印加することでインク組成物を吐出すればよい。同様に、吐出周波数を１４．４ＫＨｚとしたいときは、６個の駆動パルスから２個おきに２個のパルスのみを圧電素子に印加することでインク組成物を吐出すればよい。
【００３４】
また、電圧ＶＬとＶＨの電位差を調整することで１インク滴あたりのインク量の若干の調整も可能である。なお、１記録周期は記録解像度に対応するものであり、１画素に対し１記録周期で記録する。
【００３５】
〔４．付着〕
本実施形態のインクジェット記録方法では、吐出されたインク組成物を被記録媒体へ付着させ画像を形成する。付着させたあと、インク組成物が付着した被記録媒体を加熱処理する加熱工程をさらに含んでもよい。この加熱処理により、インク組成物に含まれ得る樹脂（ポリマー）を被記録媒体の表面に融着させ、かつ、水分を蒸発させることができる。その結果、耐擦性により優れる傾向にある。
【００３６】
上記加熱処理としては、以下に限定されないが、例えば、ヒートプレス法、常圧スチーム法、高圧スチーム法、及びサーモフィックス法が挙げられる。また、加熱の熱源としては、以下に限定されないが、例えば赤外線（ランプ）が挙げられる。また、加熱処理時の温度は、インク組成物に含まれ得る樹脂（ポリマー）を融着し、かつ、水分を蒸発させることができればよく、１５０〜２００℃程度であることが好ましい。
【００３７】
上記加熱工程後は、被記録媒体を水洗し、乾燥してもよい。このとき、必要に応じてソーピング処理、即ち未固着の顔料を熱石鹸液などで洗い落とす処理を行ってもよい。
【００３８】
このようにして、布帛などの被記録媒体上に、上記実施形態のインク組成物に由来する画像が形成された記録物を得ることができる。当該記録物は、ひび割れ、凹凸、及び汚れ等の発生を防ぐことができるため発色性に優れ、かつ、インク組成物の定着性（密着性）が良好なため、耐擦性にも優れる。
【００３９】
（４−１．インク組成物の付着量）
被記録媒体に対するインク組成物の付着量は、５０ｍｇ／ｉｎｃｈ２以上であることが好ましく、１５０ｍｇ／ｉｎｃｈ２以上であることがより好ましく、２００ｍｇ／ｉｎｃｈ２以上であることがさらに好ましい。付着量が上記範囲であることにより、隠蔽性により優れる傾向にある。また、付着量は、４００ｍｇ／ｉｎｃｈ２以下であることが好ましく、３００ｍｇ／ｉｎｃｈ２以下であることがより好ましい。付着量が上記範囲であることにより、印刷速度、乾燥速度により優れる傾向にある。
【００４０】
（４−２．ドット形成密度）
「ドット形成密度」とは、吐き出される１つ１つのインク滴の被記録媒体上への形成密度をいい、被記録媒体の横方向（主走査方向、幅方向）×被記録媒体の縦方向（副走査方向、搬送方向）（各ｄｐｉ）で表される。一方で、「記録解像度」とは、印刷データに基づいて階調の制御が可能な最小記録単位（画素）の密度をいう。ドット形成密度は記録解像度と同じ場合もあるが必ずしも同じではない。本実施形態におけるドット形成密度は、特に限定されないが、主走査方向、副走査方向とも、１４４０ｄｐｉ以上８６４０ｄｐｉ以下、さらに１４４０ｄｐｉ以上２８８０ｄｐｉ以下とすることができる。
【００４１】
〔５．被記録媒体支持部〕
被記録媒体は、被記録媒体の前記インクジェットヘッドに対抗する側の反対側から、樹脂製の表面を有する被記録媒体支持部に支持されていることが好ましい。被記録媒体支持部が樹脂製の表面であれば軽く、支持部搬送装置のモーターを強力なものとする必要がない。また、支持部が透明な樹脂製であれば被記録媒体を固定する際の位置決めの作業性がよくなる。また、被記録媒体支持部の表面が樹脂製の場合、支持部に被記録媒体をセットする際に被記録媒体との摩擦などにより静電気が発生しやすい。静電気が発生すると、ミストが発生しやすい。そのため、樹脂製の表面を有する被記録媒体支持部の場合、特に本発明を適用して問題を解決する必要性が大きい。
【００４２】
また、被記録媒体が、金属製の表面を有する被記録媒体支持部に支持されていることも好ましい。金属製の表面を有する被記録媒体支持部を用いる場合には、ミストの発生が少なくなることによりノズルプレートへのインク組成物の付着汚れが抑制され、クリーニング頻度がより少なくなる傾向にある。この原因は、被記録媒体を被記録媒体支持部にセットする際に、両者が擦れて静電気が発生することがあるが、金属製の場合、擦れても静電気の発生がなく、静電気によってインク滴が被記録媒体に届くことが妨害されてミストの原因となることがないためと推測するが原因はこれに限られるものではない。
【００４３】
〔６．プリンター〕
図３は本実施形態のインクジェット記録方法で記録を行うインクジェット記録装置（全体）の全体構成のブロック図の一例である。インクジェットプリンター１は、搬送ユニット２０、キャリッジユニット３０、ヘッドユニット４０、センサ群５０、コントローラー６０を有する。表示装置１２０を有するコンピュータ１１０から印刷信号ＰＲＴを受信したインクジェットプリンター１は、コントローラー６０によって各ユニットを制御し被記録媒体に記録を行う。コントローラー６０は、ユニット制御回路６４、ＣＰＵ６２、メモリ６３、インターフェース部６１を有する。ヘッドユニット４０は前述のヘッド、吐出機構を有し、記録の際の吐出周波数、インク量などは、コントローラー６０によるヘッドユニット４０の制御により行われる。キャリッジユニットはヘッドを主走査方向に沿って移動させる。搬送ユニットは被記録媒体を搬送方向へ搬送する。
【００４４】
［インク組成物］
本実施形態において、インク組成物としては特に限定されず、例えば、水系インク、非水系インク（溶剤系インク等）が挙げられる。インク組成物は、特に限定されないが、色材、樹脂エマルジョン、及び水溶性溶剤を含むことが好ましい。以下、上記インク組成物に含まれるか、又は含まれ得る添加剤（成分）について詳細に説明する。なお、第一のノズル列から吐出するインク組成物と第二のノズル列から吐出するインク組成物はお互いに同一組成（成分及びその含有量が同じ）であるインク組成物であっても、異なる組成であるインク組成物であってもよいが、２つのノズル列を用いて１つの画像（例えば白画像）の形成を行う場合は、少なくとも色材の種類を同じとするインク組成物を用いることが好ましく同一成分であるインクがより好ましい。
【００４５】
インク組成物は、質量基準で固形分の含有量の下限として、７％以上含むことが好ましく、１２％以上含むことがより好ましく、１５％以上含むことがさらに好ましく、１６％以上含むことがさらに好ましい。固形分が上記範囲であることにより、記録物の隠蔽性に優れる傾向にある。また、固形分の含有量の上限は、４０％以下が好ましく、３５％以下がより好ましく、３０％以下がさらに好ましく、２５％以下が特に好ましい。固形分が上記範囲であることにより、付着汚れとなる成分が相対的に少なくなるため、ノズルプレートへのインク組成物の付着汚れがより生じにくく、クリーニング頻度がより少なくなる傾向や、吐出安定性に優れる傾向にある。固形分はインクに含まれインクの乾燥によって揮発せず、インクの乾燥後、常温で固体として記録媒体に長期にわたり残る成分であり、水、有機溶剤などを除く成分であって、主に色材、樹脂などが該当する。
【００４６】
〔１．色材〕
（１−１．白色顔料）
第一のノズル列と第二のノズル列から吐出されるインク組成物は、白色顔料を含むことが好ましい。白色顔料を含む白インク組成物は、白画像により色の濃い布帛を隠蔽して、白画像の上に記録するカラー画像の見栄えをよくするためにベタ画像として記録する。この際、印刷速度が遅くならないように全ノズルから比較的高い吐出周波数でインク組成物を吐出する。そうすると、エアカーテンが特に形成されやすく、ノズルプレートの付着汚れが増大し、吐出不良（不吐出や飛行曲がり）を起こすノズルが増え、ノズルのクリーニングの頻度を増やすことが必要である。そのため、白色インク組成物を構成する白色顔料の場合、特に本発明を適用して問題を解決する必要性が大きい。
【００４７】
白色インク組成物に含まれる白色顔料としては、以下に限定されないが、例えば、酸化チタン、酸化亜鉛、硫化亜鉛、酸化アンチモン、及び酸化ジルコニウム等の白色無機顔料が挙げられる。当該白色無機顔料以外に、白色の中空樹脂粒子及び高分子粒子などの白色有機顔料を使用することもできる。
【００４８】
白色顔料のカラーインデックス（Ｃ．Ｉ．）としては、以下に限定されないが、例えば、Ｃ．Ｉ．Ｐｉｇｍｅｎｔ  Ｗｈｉｔｅ  １（塩基性炭酸鉛），４（酸化亜鉛），５（硫化亜鉛と硫酸バリウムの混合物），６（酸化チタン），６：１（他の金属酸化物を含有する酸化チタン），７（硫化亜鉛），１８（炭酸カルシウム），１９（クレー），２０（雲母チタン），２１（硫酸バリウム），２２（天然硫酸バリウム），２３（グロスホワイト），２４（アルミナホワイト），２５（石膏），２６（酸化マグネシウム・酸化ケイ素），２７（シリカ），２８（無水ケイ酸カルシウム）が挙げられる。
【００４９】
これらの中でも、発色性、隠蔽性、及び分散粒径に優れ、かつ、良好な視認性（明度）が得られるため、酸化チタンが好ましい。
【００５０】
上記酸化チタンの中でも、白色顔料として一般的なルチル型の酸化チタンが好ましい。このルチル型の酸化チタンは、自ら製造したものであってもよく、市販されているものであってもよい。ルチル型の酸化チタン（粉末状）を自ら製造する場合の工業的製造方法として、従来公知の硫酸法及び塩素法が挙げられる。
【００５１】
ルチル型の酸化チタンの市販品としては、例えば、Ｔｉｐａｑｕｅ（登録商標）  ＣＲ−６０−２、ＣＲ−６７、Ｒ−９８０、Ｒ−７８０、Ｒ−８５０、Ｒ−９８０、Ｒ−６３０、Ｒ−６７０、ＰＦ−７３６（以上、石原産業社（ISHIHARA SANGYO KAISHA, LTD.）製商品名）が挙げられる。
【００５２】
酸化チタンの５０％平均粒子径（以下、「Ｄ５０」ともいう。）は、５０〜５００ｎｍが好ましく、１５０〜３５０ｎｍがより好ましい。Ｄ５０が上記の範囲内にあると、記録物の耐擦性及び画像の視認性が優れたものとなるため、高画質の画像を形成することができる。
【００５３】
ここで、本明細書における「酸化チタンの５０％平均粒子径」は、インク組成物を調製する前における酸化チタンのＤ５０でなく、インク組成物中に存在する酸化チタンのＤ５０を意味する。また、本明細書における「５０％平均粒子径」とは、動的光散乱法による球換算５０％平均粒子径を意味し、以下のようにして得られる値である。
【００５４】
分散媒中の粒子に光を照射し、この分散媒の前方・側方・後方に配置された検出器によって、発生する回折散乱光を測定する。得られた測定値を利用して、本来は不定形である粒子を、球形であると仮定し、当該粒子の体積と等しい球に換算された粒子集団の全体積を１００％として累積カーブを求め、その際の累積値が５０％となる点を、「動的光散乱法による球換算５０％平均粒子径」とする。
【００５５】
白色顔料として酸化チタンを使用する場合は、光触媒作用を抑制するために、アルミナシリカで表面処理されたものが好ましい。その際の表面処理量（アルミナシリカの量）は、表面処理された白色顔料の総質量（１００質量％）に対して、５〜２０質量％程度であるとよい。
【００５６】
また、白色顔料の含有量は、使用する顔料種により異なるが、良好な発色性を確保することなどから、インク組成物の総質量（１００質量％）に対して、１〜３０質量％が好ましく、１〜１５質量％がより好ましい。中でも、酸化チタンの含有量は、沈降し難いとともに、特に黒地の布帛上での隠蔽性及び色再現性に優れるため、インク組成物の総質量（１００質量％）に対して、１〜２０質量％が好ましく、５〜１３質量％がより好ましい。上記の白色顔料はそれぞれ、１種単独で用いてもよく２種以上を組み合わせて用いてもよい。
【００５７】
（１−２．その他の色材）
本実施形態で用いるインク組成物には、以下に例示するその他の色材も特に限定されず用いることができる。カーボンブラックとしては、特に限定されないが、例えば、ファーネスブラック、ランプブラック、アセチレンブラック、及びチャンネルブラック（Ｃ．Ｉ．ピグメントブラック７）が挙げられる。また、カーボンブラックの市販品として、例えば、Ｎｏ．２３００、９００、ＭＣＦ８８、Ｎｏ．２０Ｂ、Ｎｏ．３３、Ｎｏ．４０、Ｎｏ．４５、Ｎｏ．５２、ＭＡ７、ＭＡ８、ＭＡ１００、Ｎｏ．２２００Ｂ（以上全て商品名、三菱化学社（Ｍｉｔｓｕｂｉｓｈｉ  Ｃｈｅｍｉｃａｌ  Ｃｏｒｐｏｒａｔｉｏｎ）製）、カラーブラックＦＷ１、ＦＷ２、ＦＷ２Ｖ、ＦＷ１８、ＦＷ２００、Ｓ１５０、Ｓ１６０、Ｓ１７０、プリテックス３５、Ｕ、Ｖ、１４０Ｕ、スペシャルブラック６、５、４Ａ、４、２５０（以上全て商品名、デグサ社（Ｄｅｇｕｓｓａ  ＡＧ）製）、コンダクテックスＳＣ、ラーベン１２５５、５７５０、５２５０、５０００、３５００、１２５５、７００（以上全て商品名、コロンビアカーボン社（Ｃｏｌｕｍｂｉａｎ  Ｃａｒｂｏｎ  Ｊａｐａｎ  Ｌｔｄ）製）、リガール４００Ｒ、３３０Ｒ、６６０Ｒ、モグルＬ、モナーク７００、８００、８８０、９００、１０００、１１００、１３００、１４００、エルフテックス１２（以上全て商品名、キャボット社（Ｃａｂｏｔ  Ｃｏｒｐｏｒａｔｉｏｎ）製）等が挙げられる。無機顔料は、１種単独で用いてもよく、２種以上を組み合わせて用いてもよい。
【００５８】
有機顔料としては、特に限定されないが、例えば、キナクリドン系顔料、キナクリドンキノン系顔料、ジオキサジン系顔料、フタロシアニン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、イソインドリノン系顔料、アゾメチン系顔料、及びアゾ系顔料等が挙げられる。有機顔料の具体例としては、下記のものが挙げられる。
【００５９】
シアンインクに使用される顔料としては、Ｃ．Ｉ．ピグメントブルー１、２、３、１５、１５：１、１５：２、１５：３、１５：４、１５：６、１５：３４、１６、１８、２２、６０、６５、６６、Ｃ．Ｉ．バットブルー４、６０等が挙げられる。中でも、Ｃ．Ｉ．ピグメントブルー１５：３及び１５：４のうち少なくともいずれかが好ましい。
【００６０】
マゼンタインクに使用される顔料としては、Ｃ．Ｉ．ピグメントレッド１、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、２５４、２６４、Ｃ．Ｉ．ピグメントバイオレット１９、２３、３２、３３、３６、３８、４３、５０等が挙げられる。中でも、Ｃ．Ｉ．ピグメントレッド１２２、Ｃ．Ｉ．ピグメントレッド２０２、及びＣ．Ｉ．ピグメントバイオレット１９からなる群から選択される一種以上が好ましい。
【００６１】
イエローインクに使用される顔料としては、Ｃ．Ｉ．ピグメントイエロー１、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１５５、１６７、１７２、１８０、１８５、２１３等が挙げられる。中でもＣ．Ｉ．ピグメントイエロー７４、１５５、及び２１３からなる群から選択される一種以上が好ましい。
なお、グリーンインクやオレンジインク等、上記以外の色のインクに用いられる顔料としては、従来公知のものが挙げられる。色材を含まないクリアインクとしてもよい。
【００６２】
〔２．顔料分散体〕
上記の顔料は、インク組成物中で分散された状態として、即ち顔料分散体として存在するとよい。ここで、本明細書における顔料分散体は、顔料分散液、及び顔料のスラリー（低粘度水性分散体）を包含する意味である。
【００６３】
白色顔料の分散体のＤ５０は、１００〜６００ｎｍがより好ましく、２００〜５００ｎｍがさらに好ましい。当該Ｄ５０が１００ｎｍ以上であると、隠蔽性及び発色性が共に良好なものとなる。当該Ｄ５０が１μｍ以下であると、インクの定着性及び吐出安定性が共に良好となる。
【００６４】
顔料分散体としては、以下に限定されないが、例えば、自己分散型顔料及びポリマー分散型顔料が挙げられる。
【００６５】
（２−１．自己分散型顔料）
上記の自己分散型顔料は、分散剤なしに水性媒体中に分散又は溶解することが可能な顔料である。ここで「分散剤なしに水性媒体中に分散又は溶解する」とは、顔料を分散させるための分散剤を用いなくても、その表面の親水基により、水性媒体中に安定に存在している状態を言う。そのため、分散剤に起因する消泡性の低下による発泡がほとんど無く、吐出安定性に優れるインクが調製しやすい。また、分散剤に起因する大幅な粘度上昇が抑えられるため、顔料をより多く含有することが可能となり印字濃度を十分に高めることが可能になる等、取り扱いが容易である。
【００６６】
上記の親水基は、−ＯＭ、−ＣＯＯＭ、−ＣＯ−、−ＳＯ3Ｍ、−ＳＯ2Ｍ、−ＳＯ2ＮＨ2、−ＲＳＯ2Ｍ、−ＰＯ3ＨＭ、−ＰＯ3Ｍ2、−ＳＯ2ＮＨＣＯＲ、−ＮＨ3、及び−ＮＲ3からなる群から選択される一以上の親水基であることが好ましい。
【００６７】
なお、これらの化学式中、Ｍは、水素原子、アルカリ金属、アンモニウム、置換基を有していてもよいフェニル基、又は有機アンモニウムを表し、Ｒは、炭素原子数１〜１２のアルキル基または置換基を有していてもよいナフチル基を表す。また、上記のＭ及びＲは、それぞれ互いに独立して選択される。
【００６８】
自己分散型顔料は、例えば、顔料に物理的処理または化学的処理を施すことで、前記親水基を顔料の表面に結合（グラフト）させることにより製造される。当該物理的処理としては、例えば真空プラズマ処理等が例示できる。また、当該化学的処理としては、例えば水中で酸化剤により酸化する湿式酸化法や、ｐ−アミノ安息香酸を顔料表面に結合させることによりフェニル基を介してカルボキシル基を結合させる方法等が例示できる。
【００６９】
（２−２．ポリマー分散型顔料）
上記のポリマー分散型顔料は、ポリマー分散によって分散可能とした顔料である。ポリマー分散型顔料に用いられるポリマーとしては、以下に限定されないが、例えば、顔料の分散に用いられる分散ポリマーのガラス転移温度（Ｔｇ）は、５５℃以下であることが好ましく、５０℃以下がより好ましい。当該Ｔｇが５５℃以下であると、インクの定着性を良好なものとすることができる。
【００７０】
また、上記ポリマーのゲルパーミエーションクロマトグラフィー（ＧＰＣ）による重量平均分子量は、１０，０００以上２００，０００以下であることが好ましい。これにより、インクの保存安定性が一層良好となる。ここで、本明細書における重量平均分子量（Ｍｗ）は、日立製作所社（Hitachi, Ltd．）製Ｌ７１００システムのゲルパーミエーションクロマトグラフィー（ＧＰＣ）を用いて、ポリスチレン換算の重量平均分子量として測定することができる。
【００７１】
上記ポリマーとしては、インクの定着性及び光沢性に一層優れるため、その構成成分のうち７０質量％以上が（メタ）アクリレート及び（メタ）アクリル酸の共重合によるポリマーが好ましい。炭素数１〜２４のアルキル（メタ）アクリレート及び炭素数３〜２４の環状アルキル（メタ）アクリレートのうち少なくとも一方が７０質量％以上のモノマー成分から重合されたものであることが好ましい。当該モノマー成分の具体例としては、以下に限定されないが、メチル（メタ）アクリレート、エチル（メタ）アクリレート、プロピル（メタ）アクリレート、ｎ−ブチル（メタ）アクリレート、イソブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ｔ−ブチルシクロヘキシル（メタ）アクリレート、ラウリル（メタ）アクリレート、イソボロニル（メタ）アクリレート、セチル（メタ）アクリレート、ステアリル（メタ）アクリレート、イソステアリル（メタ）アクリレート、テトラメチルピペリジル（メタ）アクリレート、ジシクロペンタニル（メタ）アクリレート、ジシクロペンテニル（メタ）アクリレート、ジシクロペンテニルオキシ（メタ）アクリレート、及びベヘニル（メタ）アクリレートが挙げられる。また、その他の重合用モノマー成分として、ヒドロキシエチル（メタ）アクリレート、ヒドロキシプロピル（メタ）アクリレート、及びジエチレングリコール（メタ）アクリレート等のヒドロキシル基を有するヒドロキシ（メタ）アクリレート、ウレタン（メタ）アクリレート、並びにエポキシ（メタ）アクリレートを用いることもできる。
【００７２】
（２−３．ポリマーに被覆された顔料）
また、インクの定着性、光沢性、及び色再現性に優れるため、上記ポリマー分散型顔料の中でもポリマーに被覆された顔料、即ちマイクロカプセル化顔料が好適に用いられる。
【００７３】
当該ポリマーに被覆された顔料は、転相乳化法により得られるものである。つまり、上記のポリマーをメタノール、エタノール、イソプロパノール、ｎ−ブタノール、アセトン、メチルエチルケトン、及びジブチルエーテル等の有機溶媒に溶解させる。得られた溶液に顔料を添加し、次いで中和剤及び水を添加して混練・分散処理を行うことにより水中油滴型の分散体を調整する。そして、得られた分散体から有機溶媒を除去することによって、水分散体としてポリマーに被覆された顔料を得ることができる。混練・分散処理は、例えば、ボールミル、ロールミル、ビーズミル、高圧ホモジナイザー、及び高速攪拌型分散機などを用いることができる。
【００７４】
中和剤としては、エチルアミン、トリメチルアミン等の３級アミン、水酸化リチウム、水酸化ナトリウム、水酸化カリウム、及びアンモニア等が好ましい。得られる水分散体のｐＨは６〜１０であることが好ましい。
【００７５】
顔料を被覆するポリマーとしては、ＧＰＣによる重量平均分子量が１０，０００〜１５０，０００程度のものが、顔料を安定的に分散させる点で好ましい。
【００７６】
ポリマーに被覆された顔料の中でも、ポリマーに被覆されたカラー顔料が好ましい。このカラー顔料を用いることで、記録物の発色性が優れたものとなる。
【００７７】
〔３．樹脂エマルジョン〕
本実施形態で用いるインク組成物は、樹脂エマルジョンをさらに含むことが好ましい。当該樹脂エマルジョンは、インクの乾燥に伴い、樹脂同士と、樹脂及び顔料と、がそれぞれ互いに融着して顔料を被記録媒体に固着させるため、記録物の画像部分の耐擦性及び洗濯堅牢性を一層良好にすることができる。樹脂エマルジョンの中でもウレタン樹脂エマルジョン、アクリル樹脂エマルジョンが好ましく、ウレタン樹脂エマルジョンがより好ましい。これにより、インクの定着性が優れたものとなるため、記録物の耐擦性及び洗濯堅牢性が共に優れたものとなる。
【００７８】
樹脂エマルジョンがインク組成物に含まれる場合、当該樹脂エマルジョンは、被記録媒体上に樹脂被膜を形成することで、インク組成物を被記録媒体上に十分定着させて記録物の耐擦性を優れたものとする。そのため、樹脂エマルジョンは熱可塑性樹脂であることが好ましい。特に、ウレタン樹脂エマルジョンは、設計の自由度が高いため、所望の被膜物性を得やすい。
【００７９】
上記のウレタン樹脂エマルジョンは、分子中にウレタン結合を有する樹脂エマルジョンである。さらに、ウレタン樹脂エマルジョンとしては、上記のウレタン結合に加えて、主鎖にエーテル結合を含むポリエーテル型ウレタン樹脂、主鎖にエステル結合を含むポリエステル型ウレタン樹脂、及び主鎖にカーボネート結合を含むポリカーボネート型ウレタン樹脂なども使用可能である。アクリル樹脂エマルジョンは、(メタ)アクリル酸、(メタ)アクリル酸エステルなどの(メタ)アクリル系単量体を重合させたものや、(メタ)アクリル系単量体と他の単量体とを共重合させたものがあげられる。
【００８０】
以下、樹脂エマルジョンの好ましい物性について説明する。まず、一般的にインクジェット記録が行われる温度範囲（１５〜３５℃）において、当該樹脂エマルジョンは造膜性を有することが好ましいため、そのＴｇは、０℃以下であることが好ましく、−１０℃以下であることがより好ましく、−１５℃以下であることがさらに好ましい。樹脂エマルジョンのＴｇが上記範囲内である場合、記録物に付着したインクの定着性が一層優れたものとなる結果、記録物の耐擦性が一層優れたものとなる。なお、Ｔｇの下限は特に限定されないが、−７０℃以上、さらに−５０℃以上であるとよい。
【００８１】
また、樹脂エマルジョンの酸価は、１０〜１００ｍｇＫＯＨ／ｇであることが好ましく、１５〜５０ｍｇＫＯＨ／ｇであることがより好ましい。酸価が１００ｍｇＫＯＨ／ｇ以下であると、記録物の洗濯堅牢性を良好に維持することができる。また、酸価が１０ｍｇＫＯＨ／ｇ以上であると、インクの保存安定性、並びに被記録媒体上でのインクの発色性及び定着性が優れたものとなる。なお、本明細書における酸価は、京都電子工業社（Kyoto Electronics Manufacturing Co.,Ltd.）製のＡＴ６１０を用いて測定を行い、以下の数式に数値をあてはめて算出した値を採用するものとする。
【００８２】
酸価（ｍｇ／ｇ）＝（ＥＰ１−ＢＬ１）×ＦＡ１×Ｃ１×Ｋ１／ＳＩＺＥ
上記の数式中、ＥＰ１は滴定量（ｍＬ）、ＢＬ１はブランク値（０．０ｍＬ）、ＦＡ１は滴定液のファクター（１．００）、Ｃ１は濃度換算値（５．６１１ｍｇ／ｍＬ）（０．１ｍｏ１／Ｌ  ＫＯＨ  １ｍＬの水酸化カリウム相当量）、Ｋ１は係数（１）、ＳＩＺＥは試料採取量（ｇ）をそれぞれ表す。
【００８３】
また、樹脂エマルジョンは、被記録媒体の中でも伸縮しやすい布帛に対して、画像、即ちインク層の破断やひび割れを防ぎ、記録物の洗濯堅牢性及び耐擦性が優れたものとなるため、破断点伸度が５００〜１２００％、さらに６００〜１２００％、特に７００〜１２００％、弾性率は２０〜４００ＭＰａであることが好ましい。
【００８４】
ここで、本明細書における破断点伸度は、約６０μｍの厚さのフィルムを作成し、引張試験ゲージ長２０ｍｍ及び引っ張り速度１００ｍｍ／分の条件下で測定することができる。また、本明細書における弾性率は、約６０μｍの厚さのフィルムを作成し、平行部幅１０ｍｍ及び長さ４０ｍｍの引張試験ダンベルに成形し、ＪＩＳ  Ｋ７１６１：１９９４に準拠して引張試験を行い、引っ張り弾性率を測定することができる。
【００８５】
なお、上記ＪＩＳ  Ｋ７１６１：１９９４について具体的に説明すると、対応国際規格がＩＳＯ  ５２７−１：１９９３であり、標題がプラスチック−引張特性の試験方法であり、かつ、規格の概要は、定められた条件下でのプラスチック及びプラスチック複合材の引張特性を測定するための一般原則について規定したものである。
【００８６】
樹脂エマルジョンのＤ５０は、３０〜３００ｎｍが好ましく、８０〜３００ｎｍがより好ましい。Ｄ５０が上記範囲内であると、インク組成物中で樹脂エマルジョン粒子を均一に分散させることができる。また、記録物の耐擦性が一層優れたものとなるため、Ｄ５０の下限値は１００ｎｍであるとさらに好ましい。
【００８７】
以上で説明した樹脂エマルジョンの物性の観点より、上記ウレタン樹脂エマルジョンの市販品として、以下に限定されないが、例えば、サンキュアー２７１０（日本ルーブリゾール社（The Lubrizol Corporation）製商品名）、パーマリンＵＡ−１５０（三洋化成工業社（Sanyo Chemical Industries, Ltd.）製商品名）、スーパーフレックス  ４６０，４７０，６１０，７００（以上、第一工業製薬社（Dai-ichi Kogyo Seiyaku Co., Ltd.）製商品名）、ＮｅｏＲｅｚ  Ｒ−９６６０，Ｒ−９６３７，Ｒ−９４０（以上、楠本化成社（Kusumoto Chemicals,Ltd.）製商品名）、アデカボンタイター  ＨＵＸ−３８０，２９０Ｋ（以上、アデカ（Adeka）社製商品名）、タケラック（登録商標）  Ｗ−６０５，Ｗ−６３５，ＷＳ−６０２１（以上、三井化学社（Mitsui Chemicals, Inc.）商品名）、ポリエーテル（大成ファインケミカル社（TAISEI FINECHEMICAL CO,.LTD）商品名、Ｔｇ＝２０℃）が好ましく挙げられる。
【００８８】
ウレタン樹脂エマルジョンは、１種単独で用いてもよく、２種以上を組み合わせて用いてもよい。
【００８９】
また、本実施形態で用いるインク組成物は、ウレタン樹脂エマルジョン以外の樹脂エマルジョンを含んでもよい。そのような樹脂エマルジョンの中でも、樹脂の凝集を効果的に防止できるため、アニオン性の樹脂エマルジョンが好ましい。当該アニオン性の樹脂エマルジョンとしては、以下に限定されないが、例えば、（メタ）アクリル酸、（メタ）アクリル酸エステル、アクリロニトリル、シアノアクリレート、アクリルアミド、オレフィン、スチレン、酢酸ビニル、塩化ビニル、ビニルアルコール、ビニルエーテル、ビニルピロリドン、ビニルピリジン、ビニルカルバゾール、ビニルイミダゾール、及び塩化ビニリデンの単独重合体又は共重合体、フッ素樹脂、及び天然樹脂が挙げられる。中でも、（メタ）アクリル系樹脂及びスチレン−（メタ）アクリル酸共重合体系樹脂のうち少なくともいずれかが好ましく、アクリル系樹脂及びスチレン−アクリル酸共重合体系樹脂のうち少なくともいずれかがより好ましく、スチレン−アクリル酸共重合体系樹脂がさらに好ましい。なお、上記の共重合体は、ランダム共重合体、ブロック共重合体、交互共重合体、及びグラフト共重合体のうちいずれの形態であってもよい。
【００９０】
ウレタン樹脂エマルジョン以外の樹脂エマルジョンとしては、公知の材料及び製造方法により得られるものを用いてもよく、市販品を用いてもよい。当該市販品としては、以下に限定されないが、例えば、モビニール９６６Ａ（日本合成化学社（Nippon Synthetic Chemical Industry Co., Ltd.）製商品名、アクリル樹脂エマルジョン）、マイクロジェルＥ−１００２、マイクロジェルＥ−５００２（以上商品名、日本ペイント社（Nippon Paint Co., Ltd）製）、ボンコート４００１、ボンコート５４５４（以上商品名、ＤＩＣ社製）、ＳＡＥ１０１４（商品名、日本ゼオン社（Zeon Corporation）製）、サイビノールＳＫ−２００（商品名、サイデン化学社（SAIDEN CHEMICAL INDUSTRY CO.,LTD.）製）、ジョンクリル７１００、ジョンクリル３９０、ジョンクリル７１１、ジョンクリル５１１、ジョンクリル７００１、ジョンクリル６３２、ジョンクリル７４１、ジョンクリル４５０、ジョンクリル８４０、ジョンクリル７４Ｊ、ジョンクリルＨＲＣ−１６４５Ｊ、ジョンクリル７３４、ジョンクリル８５２、ジョンクリル７６００、ジョンクリル７７５、ジョンクリル５３７Ｊ、ジョンクリル１５３５、ジョンクリルＰＤＸ−７６３０Ａ、ジョンクリル３５２Ｊ、ジョンクリル３５２Ｄ、ジョンクリルＰＤＸ−７１４５、ジョンクリル５３８Ｊ、ジョンクリル７６４０、ジョンクリル７６４１、ジョンクリル６３１、ジョンクリル７９０、ジョンクリル７８０、ジョンクリル７６１０（以上商品名、ＢＡＳＦ社製）、ＮＫバインダー  Ｒ−５ＨＮ（新中村化学社製商品名、アクリル樹脂エマルジョン、固形分４４％）が挙げられる。これらの中でも、上述した樹脂エマルジョンの好ましい物性を十分に満たすため、アクリル樹脂エマルジョンであるモビニール９６６Ａが好ましい。
【００９１】
樹脂エマルジョンは、１種単独で用いてもよく、２種以上を組み合わせて用いてもよい。
【００９２】
樹脂エマルジョンの樹脂の含有量は、インク組成物の総質量（１００質量％）に対して３〜１５質量％の範囲であることが好ましく、７〜１４質量％であることがより好ましく、８〜１３質量％であることがさらに好ましい。上記範囲内であると、記録物の洗濯堅牢性及び耐擦性が優れたものとなる傾向にあり、インク組成物の長期安定性に優れ、特にインク組成物を低粘度化することができる傾向にある。
【００９３】
〔４．環状アミド化合物〕
本実施形態で用いるインク組成物は、環状アミド化合物をさらに含むことが好ましい。当該環状アミド化合物は、乳酸エステル化合物の水への溶解性を良好にする機能を有する。そこで、インク組成物が上記の乳酸エステル化合物と共に環状アミド化合物も含むことにより、ウレタン樹脂（エマルジョン）の溶解力が一層強くなり、上述のような異物の析出を一層効果的に防止できるため、保存安定性、特に高温下での保存安定性が一層優れたものとなる。
【００９４】
また、環状アミド化合物は、保湿性能も有するため、ウレタン樹脂（エマルジョン）その他の樹脂（ポリマー）及び顔料などの水分がインクの保管時に蒸発し得ることに起因して、凝集し固化するのを防止することができる。これにより、インクジェット記録時にヘッドのノズル近傍における目詰まりを防止し、インク組成物の吐出安定性が良好なものとなる。
【００９５】
環状アミド化合物の具体例としては、以下に限定されないが、２−ピロリドン、Ｎ−メチル−２−ピロリドン、及びＮ−エチル−２−ピロリドンが挙げられる。中でも、樹脂（ポリマー）に対する溶解力がさらに一層強くなり、保存安定性、特に高温下での保存安定性がさらに一層優れたものとなるため、２−ピロリドンが好ましい。
【００９６】
環状アミド化合物は、１種単独で用いてもよく、２種以上を組み合わせて用いてもよい。
【００９７】
環状アミド化合物の含有量は、インク組成物の総質量（１００質量％）に対して、０．５〜５質量％であることが好ましく、１〜３質量％であることがより好ましい。当該含有量が上記範囲内であると、インクの長期保存安定性及び吐出安定性、並びにインクの優れた定着性に起因する記録物の耐擦性及び洗濯堅牢性が、いずれも一層優れたものとなる。
【００９８】
〔５．水溶性溶剤〕
本実施形態で用いるインク組成物は、水溶性溶剤を含むことができ、水を含むことが好ましい。当該水性溶媒としては、水及び水溶性有機溶剤が挙げられる。水としては、特に制限されることなく、イオン交換水、限外濾過水、逆浸透水、蒸留水等の純水、又は超純水を用いることができる。水の含有量は、特に制限されることなく必要に応じて適宜決定すればよいが、インク組成物の粘度を好適な範囲に調整するため、インク組成物の総質量（１００質量％）に対して２０〜８０質量％含まれているとよい。
なお、以下で説明する各種の添加剤（成分）は、重複を避けるため、上述した環状アミド化合物を含まないものとする。
【００９９】
〔６．浸透剤〕
本実施形態で用いるインク組成物は、その構成成分である水性溶媒が被記録媒体に浸透することを一層促進するため、浸透剤をさらに含有するとよい。上記水性溶媒が被記録媒体に素早く浸透することによって、画像の滲みが少ない記録物を得ることができる。
【０１００】
このような浸透剤としては、多価アルコールのアルキルエーテル（グリコールエーテル類）及び１、２−アルキルジオールが好ましく挙げられる。当該グリコールエーテル類としては、以下に限定されないが、例えば、エチレングリコールモノメチルエーテル、エチレングリコールモノエチルエーテル、エチレングリコールモノプロピルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノプロピルエーテル、ジエチレングリコールモノブチルエーテル、ジエチレングリコールモノ−ｔ−ブチルエーテル、トリエチレングリコールモノブチルエーテル、１−メチル−１−メトキシブタノール、プロピレングリコールモノメチルエー
テル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、プロピレングリコールモノブチルエーテル、及びジプロピレングリコールモノブチルエーテルが挙げられる。また、上記１、２−アルキルジオールとしては、以下に限定されないが、例えば、１、２−ペンタンジオール及び１、２−ヘキサンジオールが挙げられる。これらの他に、１、３−プロパンジオール、１、４−ブタンジオール、１、５−ペンタンジオール、１、６−ヘキサンジオール、１、７−ヘプタンジオール、及び１、８−オクタンジオール等の直鎖炭化水素のジオール類も挙げることができる。
【０１０１】
浸透剤は、１種単独で用いてもよく、２種以上を組み合わせて用いてもよい。
【０１０２】
浸透剤の含有量は、インク組成物の総質量（１００質量％）に対し、０．１〜２０質量％が好ましく、０．５〜１０質量％がより好ましい。含有量が０．１質量％以上であると、インク組成物の被記録媒体への浸透度を増大させることができる。一方、含有量が２０質量％以下であると、画像に滲みが発生することを防止でき、またインク組成物の粘度が高くならないようにすることができる。
【０１０３】
〔７．保湿剤〕
本実施形態で用いるインク組成物は、保湿剤（湿潤剤）をさらに含んでもよい。保湿剤としては、一般にインクジェットインクに用いられるものであれば特に制限されることなく使用可能である。好ましくは１８０℃以上、より好ましくは２００℃以上の沸点を有する高沸点の保湿剤を用いるとよい。沸点が上記範囲内である場合、インク組成物に良好な保水性及び湿潤性を付与することができる。
【０１０４】
高沸点の保湿剤の具体例として、以下に限定されないが、エチレングリコール、プロピレングリコール、ジエチレングリコール、トリエチレングリコール、ペンタメチレングリコール、トリメチレングリコール、２−ブテン−１、４−ジオール、２−エチル−１、３−ヘキサンジオール、２−メチル−２、４−ペンタンジオール、トリプロピレングリコール、数平均分子量２０００以下のポリエチレングリコール、１、３−プロピレングリコール、イソプロピレングリコール、イソブチレングリコール、グリセリン、メソエリスリトール、及びペンタエリスリトールが挙げられる。
【０１０５】
保湿剤は、１種単独で用いてもよく、２種以上を組み合わせて用いてもよい。インク組成物が高沸点の保湿剤を含むことにより、開放状態で顔料インクが空気に触れている状態で放置しても、流動性及び再分散性を長時間維持できるインク組成物を得ることができる。さらに、このようなインク組成物は、インクジェット記録装置を用いた捺染の途中又は中断後の再起動時に、ノズルの目詰まりが生じにくくなるため、インク組成物の吐出安定性が優れたものとなる。上記保湿剤の含有量は特に限定されず、必要に応じて適宜決定すればよい。
【０１０６】
なお、上述のとおり、インク組成物が環状アミド化合物を含む場合、環状アミド化合物は保湿性能を有するため、環状アミド化合物を保湿剤として用いればよい。
【０１０７】
〔８．界面活性剤〕
本実施形態で用いるインク組成物は、界面活性剤を含んでもよい。当該界面活性剤としては、アセチレングリコール系界面活性剤、アセチレンアルコール系界面活性剤、及びポリシロキサン系界面活性剤のうち少なくともいずれかが好ましい。インク組成物がこれらの界面活性剤を含むことにより、被記録媒体に付着したインク組成物の乾燥性が一層良好となり、かつ、高速印刷が可能となる。
【０１０８】
これらの中でも、インクへの溶解度が大きくなり異物が一層発生し難くなるため、ポリシロキサン系界面活性剤がより好ましい。
【０１０９】
上記のアセチレングリコール系界面活性剤及びアセチレンアルコール系界面活性剤としては、以下に限定されないが、２，４，７，９−テトラメチル−５−デシン−４，７−ジオール及び２，４，７，９−テトラメチル−５−デシン−４，７−ジオールのアルキレンオキシド付加物、並びに２，４−ジメチル−５−デシン−４−オール及び２，４−ジメチル−５−デシン−４−オールのアルキレンオキサイド付加物から選択される一種以上が好ましい。これらは、オルフィン１０４シリーズやオルフィンＥ１０１０等のＥシリーズ（エアプロダクツ社（Air Products Japan, Inc.）製商品名）、サーフィノール４６５やサーフィノール６１（日信化学工業社（Nissin Chemical Industry CO.,Ltd.）製商品名）等の市販品として入手可能である。
【０１１０】
また、ポリシロキサン系界面活性剤としては、ＢＹＫ−３４７、ＢＹＫ−３４８（ビックケミー・ジャパン社（BYK Japan KK）製商品名）などが挙げられる。
【０１１１】
上記の界面活性剤は、インク組成物の総質量（１００質量％）に対し、０．１〜３質量％であることが好ましい。
【０１１２】
〔９．その他の成分〕
本実施形態で用いるインク組成物は、その保存安定性及びヘッドからの吐出安定性を良好に維持するため、目詰まり改善のため、又はインクの劣化を防止するため、保湿剤、溶解助剤、浸透制御剤、粘度調整剤、ｐＨ調整剤、溶解助剤、酸化防止剤、防腐剤、防黴剤、腐食防止剤、及び分散に影響を与える金属イオンを捕獲するためのキレート化剤などの、種々の添加剤を適宜添加することもできる。本実施形態で用いるインク組成物は、揮発性成分中、水を最も多く含む水系インク組成物とすることが、安全性の点で好ましい。
【０１１３】
［被記録媒体］
次に、本実施形態の被記録媒体について説明する。本実施形態の記録方法に用いられる被記録媒体は、特に限定されないが、例えば、布帛、紙である。布帛としては、以下に限定されないが、例えば、絹、綿、羊毛、ナイロン、ポリエステル、レーヨン等の天然繊維又は合成繊維が挙げられる。これらのうち、高温下でのインク組成物の定着に耐えられるため、綿が好ましい。
【０１１４】
被記録媒体が布帛の場合、布帛表面の毛羽立ちによってインク滴が一旦トラップされて布帛表面に届くことができず、かつトラップされたインク滴が、その後、布帛から離れて空気中に浮遊してミストとなることがある。よって紙のような被記録媒体と比べてミストが発生しやすい。そのため、布帛の場合、特に本発明を適用して問題を解決する必要性が大きい。
【０１１５】
［インクジェット記録装置］
本実施形態のインクジェット記録装置は、上記インクジェット記録方法で記録を行うものであれば特に限定されず、上述の構成を有する他は、従来と同様の構成であってもよい。
【実施例】
【０１１６】
以下、本発明を実施例及び比較例を用いてより具体的に説明する。本発明は、以下の実施例によって何ら限定されるものではない。
【０１１７】
［１．インク組成物用の材料］
下記の実施例及び比較例において使用したインク組成物用の主な材料は、以下の通りである。
〔色材〕
・二酸化チタン（シーアイ化成社製  製品名：Ｎａｎｏ  ｔｅｋ  ｓｌｕｒｒｙ、酸化チタン固形分濃度１５％  平均粒径２５０ｎｍ）
〔樹脂エマルジョン〕
・タケラックＷＳ−６０２１（三井化学ポリウレタン社製製品名、固形分３０％、ウレタン樹脂）
〔分散剤〕
・デモールＮＬ（花王ケミカル社製製品名、固形分４１％）
〔有機溶剤〕
・グリセリン
・トリエチレングリコール
・トリエチレングリコールモノブチルエーテル
〔シリコン系界面活性剤〕
・ＢＹＫ−３４８（ＢＹＫ社製商品名）
【０１１８】
［２．白色インクの調製］
下記の表１に示す組成（質量％）で混合し、十分に撹拌し、インク組成物１、２を得た。表１中、タケラックＷＳ−６０２１と分散剤デモールＮＬは固形分以外の溶媒成分も含めた使用量であり、二酸化チタンは固形分の量であり、固形分（％）はインク中の固形分の量である。
【０１１９】
【表１】
2014156045.tif 000002
【０１２０】
［３．被記録媒体］
被記録媒体としては、綿１００％のＴシャツ布帛（ＨＡＮＥＳ社製のヘビーウェイト  黒色生地）と、普通紙（ゼロックスＰ）を用いた。
【０１２１】
［４．インクジェット記録装置］
プリンターＧＳ６０００（セイコーエプソン社（Ｓｅｉｋｏ  Ｅｐｓｏｎ  Ｃｏｒｐｏｒａｔｉｏｎ）製）を改造したもの（以下、「ＧＳ６０００改造機」という。）を用いた。改造部分は、以下のヘッドと、吐出機構と、被記録媒体支持部材質とを備えた点である。
【０１２２】
ヘッドとしては、第一ノズル列及び第二ノズル列が図１に示すような千鳥配置でノズルが並んだ列を有するものを用意した。具体的には、（１）ノズル列同士の距離Ｌ１を１９．５ｍｍ、ノズル密度Ｌ２を７２０ｄｐｉとしたもの、（２）ノズル列同士の距離Ｌ１を１２ｍｍ、ノズル密度Ｌ２を７２０ｄｐｉとしたもの、（３）ノズル列同士の距離Ｌ１を１９．５ｍｍ、ノズル密度Ｌ２を３６０ｄｐｉとしたもの、（４）ノズル列同士の距離Ｌ１を１２ｍｍ、ノズル密度Ｌ２を３６０ｄｐｉとしたものを、それぞれ用意した。ノズル密度Ｌ２を３６０ｄｐｉとしたものは、ノズル密度Ｌ２を７２０ｄｐｉとしたものにおいてノズル列中のノズルを１個おきに使用することで構成したため、ノズル数（使用ノズル数）は、半分になっており、ノズル数は（１）（２）は７２０個、（３）（４）は３６０個とし、ノズル列の方向のノズル列の長さは（１）〜（４）で同じとした。
【０１２３】
吐出機構としては、１記録周期の駆動周波数７．２ｋＨｚ、駆動パルスの周波数４３．２ｋＨｚで吐出周波数を制御でき、電圧ＶＬとＶＨの電位差を調整することで１インク滴あたりのインク量を７〜１４ｎｇの範囲で調整できるものを用意した。ただし、１４ｎｇの場合は、１インク滴当たりのインク量が多い為、ノズル径及び圧力室の容積の大きな別のヘッドを用意することで調整した。具体的な吐出周波数の制御は、吐出周波数２１．６ｋＨｚの場合は、６つの駆動パルスＰＡＰＳのうちから１個おきに３個の駆動パルスのみを圧電素子に印加することで吐出を行い、１４．４ｋＨｚの場合は、６個の駆動パルスから２個おきに２個のパルスのみを圧電素子に印加することで吐出を行い、７．２ｋＨｚの場合は、６個の駆動パルスから５個おきに１個のパルスのみを圧電素子に印加することで吐出を行った。
【０１２４】
被記録媒体支持部材質としては、表面の材質がアクリル板とアルミ板のものを用意した。
【０１２５】
［６．インクジェット記録方法（実施例１〜７，比較例１〜１０）］
布帛に対して、前記改造機を用いて、インクジェット法により、上記で調製したインク組成物１又は２を被記録媒体に付着させた。より具体的には、第一のノズル列及び第二のノズル列から、所定の吐出の周波数、所定のインク量でインク組成物を吐出し、インク組成物を被記録媒体へ付着させた。ドット形成密度は所定の値とし、記録媒体をＡ４サイズとし、ベタパターン画像を記録した。吐出の周波数、インク量及びドット形成密度は表２、３に示すとおりである。
【０１２６】
なお、本明細書における「ベタパターン画像」とは、記録解像度で規定される最小記録単位領域である画素の全ての画素に対してドットを記録し記録媒体の画像を意味する。
【０１２７】
インク組成物１又は２が付着した布帛を、ヒートプレス機を用いて１６０℃で１分間加熱処理を行い、インク組成物１又は２を布帛に定着させた。このようにして、布帛に画像が形成された（インクが印捺された）記録物を製造した。このとき、得られた記録物に対して、以下の評価をした。
【０１２８】
［７．評価項目］
〔インク付着量（ｍｇ／ｉｎｃｈ２）〕
インク付着量は、下記式に従い、ドット形成密度から求めた。なお「×２」としたのは第一のノズル列と第二のノズル列とでそれぞれ同様にインクを付着させているためである。つまり、記録媒体上における第一のノズル列によるドット形成位置と第二のノズル列によるドット形成位置及びインク付着量は全く同じであるとし、第一のノズル列によるドット形成と、第一のノズル列と第二のノズル列とを合わせた全体のドット形成とを比較した場合、ドット形成密度は同じであり、インク付着量は前者に対し後者を２倍とした。
インク付着量（ｍｇ／ｉｎｃｈ２）＝インク滴のインク量（ｎｇ）×横方向のドット形成密度（ｄｐｉ）×縦方向のドット形成密度（ｄｐｉ）×２×１０−６
【０１２９】
〔ノズルプレートへのインクの付着汚れ〕
前記改造機を用い、表１に示すインク組成物１又は２を用いて、約Ａ４サイズの大きさにした綿１００％のＴシャツ布帛（ＨＡＮＥＳ社製のヘビーウェイト  黒色生地）に２０×２０ｃｍのベタ画像を印刷した。５０枚印刷した後のノズルプレートの２本のノズル列の間のインクの汚れを目視で観察した。ノズルプレートへのインクの付着汚れの評価基準を以下に示す。なお、いずれの例も第一及び第二ノズル列の外側にはインクの汚れはほとんど見られなかった。
（評価基準）
◎：ノズルの汚れが見えない。
○：ノズル列間に若干のインクの付着が見えるがノズルの周囲のインクの付着は少ない。
△：ノズルの周囲にもインクの付着が見える。
×：ノズルプレートがほとんどインクで埋まっている。
【０１３０】
〔クリーニング頻度〕
前記改造機を用い、表１に示すインク組成物１又は２を用いて、ノズルプレートへのインク付着汚れ評価と同じ布帛へ同じ条件でベタ画像の印刷を行い、１枚印刷するごとに不吐出ノズルの有無のノズル検査を行った。全使用ノズル数に対する０．３％以上の個数のノズルが不吐出になった時点でクリーニングが必要と判断した。クリーニングが必要と判断した時点の印刷枚数に基づいて、クリーニング頻度を以下の評価基準で評価した。
（評価基準）
◎：８１枚以上
○：５１〜８０枚
△：２１〜５０枚
×：２０枚以下
【０１３１】
〔画像の隠蔽性〕
ノズルプレートへのインクの付着汚れの評価における、１枚目の印刷物を評価した。具体的には、測色器（商品名「Ｇｒｅｔａｇ  Ｍａｃｂｅｔｈ  Ｓｐｅｃｔｒｏｌｉｎｏ」、Ｘ−ＲＩＴＥ社製）によりＬ＊値を測定し、得られたＬ＊値に基づいて画像の隠蔽性を以下の評価基準で評価した。
（評価基準）
◎：９０以上
○：８０〜９０未満
△：７０〜８０未満
×：７０未満
【０１３２】
〔印刷速度〕
前記改造機を用い、表１に示すインク組成物１又は２を用いて、約Ａ４サイズの大きさにした綿１００％のＴシャツ布帛（ＨＡＮＥＳ社製のヘビーウェイト  黒色生地）に２０×２０ｃｍのベタ画像を印刷した。印刷速度は以下の評価基準で評価した。
（評価基準）
○：実施例１と同じ
×：実施例１と比べてパス数（主走査数）が２倍以上必要だった。
【０１３３】
〔乾燥速度〕
前記改造機を用い、表１に示すインク組成物を用いて、ノズルプレートへのインク付着汚れの評価と同じ方法で１枚の白ベタ画像を印刷した後、直ちに、図１のＣノズルレーンを用いて、シアンインクを用いて白ベタ画像よりも内側に１０×１０ｃｍのベタ画像（インク滴７ｎｇ、ドット密度４３２０×７２０ｄｐｉ）を重ねて印刷した。白画像とカラー画像の境界の滲みを目視で観察した。シアンインクは白インク組成物２で二酸化チタンを含む代わりにシアン顔料ピグメントブルー１５：３（クラリアント製）を４質量％含ませたものを調整して用いた。白ベタ画像とシアン画像の境界部を目視で観察した。
（評価基準）
○：滲みなし
×：滲みあり
【０１３４】
【表２】
2014156045.tif 000003
【０１３５】
【表３】
2014156045.tif 000004
【０１３６】
上記結果より本発明の構成要件を満たすインクジェット記録方法を用いた場合には、ノズルプレートへのインク組成物の付着汚れが生じにくく、クリーニング頻度が少なく、隠蔽性に優れた画像を印刷でき、印刷速度及に優れることが示された。一方、第一列及び第二列のノズルの距離が近い比較例１、２、８〜１０は、ノズルプレートへのインク組成物の付着汚れが生じ、クリーニング頻度も高いことが分かった。
比較例３、４は、ノズル密度が低いためノズル数（使用ノズル数）が少なく所定のインク付着量とするためにパス数を増やす必要が生じ、パス数が多いことはパス間の副走査も多くなり印刷速度低下への影響が大きい。なお、比較例３、４において、ノズル密度を３６０ｄｐｉとしながらノズル列の副走査方向の長さを２倍としてノズル数も２倍として、ノズル数を実施例１と同じにすることも考えられるが、この場合、ヘッドの副走査方向の長さが大きくなり記録装置の小型化の点で好ましくない。
比較例５、７は、吐出の周波数が低いがパス数は実施例１と同じとしたため、印刷速度は低下しなかったが、ドット形成密度が低くインク付着量が少なくなり、画像の隠蔽性が低下した。比較例６は、比較例７に比して、パス数を２倍にすることで、ドット形成密度とインク付着量を多くしたものだが、印刷速度が低下した。
なお、実施例３、比較例８は、記録媒体を普通紙としたものであるが、インク付着量が多いことにより記録媒体に変形が見られた。
【０１３７】
さらに、インク滴のインク量が大きい場合、インク汚れ、クリーニング頻度は比較的向上するものの乾燥速度が低下する傾向が見られた。一方、インク滴のインク量が小さい場合、乾燥速度が優れることに加え、印刷速度を低下することなく高いドット形成密度でドット形成が可能であり、このことは画像の高精細化の点で有利なものであり、その反面、インク汚れ、クリーニング頻度が悪化する傾向が見られたことから、本発明が特に有用であることがわかった。
【産業上の利用可能性】
【０１３８】
本発明のインクジェット記録方法は、被記録媒体、特に布帛に対して、インク組成物を記録する方法として産業上の利用可能性を有する。
【符号の説明】
【０１３９】
１…インクジェットプリンター
２０…搬送ユニット
３０…キャリッジユニット
４０…ヘッドユニット
５０…センサ群
６０…コントローラー
６１…インターフェース部
６２…ＣＰＵ
６３…メモリ
６４…ユニット制御回路
１１０…コンピュータ
１２０…表示装置
【図１】
2014156045.tif 000005
【図２】
2014156045.tif 000006
【図３】
2014156045.tif 000007